(57)【特許請求の範囲】
【請求項１】
吸収体を含む吸収性本体と、該吸収性本体の外面側に位置する外装体とを具備し、腹側部の外装体の両側部と背側部の外装体の両側部とが接合されて、一対のサイドシール部、ウエスト開口部及び一対のレッグ開口部が形成されているパンツ型吸収性物品であって、
少なくとも腹側部の外装体を構成するシート材が、ウエスト開口部の周縁端に沿って物品内面側に折り返され、その折り返し部分の一部が、該吸収性本体の端部の内面を被覆しており、
前記シート材の前記折り返し部分は、前記吸収性本体の周縁固定部分が相対向面に接合されている一方、前記サイドシール部近傍、該周縁固定部分及び前記吸収性本体の内面被覆部分以外の部分が相対向面に接合されておらず、
前記周縁固定部分は、前記吸収性本体の長手方向の端縁及び該吸収性本体の左右の側縁を含む該吸収性本体の周縁と重なり且つ該周縁の各部において該周縁の内外に亘る所定幅の部分であり、該吸収性本体の周縁より内方において該吸収性本体の内面と重なる部分及び該吸収性本体の周縁より外方に延出する部分が、それぞれの相対向面に接着剤を介して接合されており、
前記シート材の前記折り返し部分は、前記周縁固定部分における前記吸収性本体の周縁より外方に延出する部分及び該吸収性本体の内面と重なる前記内面被覆部分の全域において、相対向面と接合されており、
前記シート材の前記折り返し部分は、前記周縁固定部分と前記サイドシール部近傍の接合部分との間における前記レッグ開口部側の端縁が、該折り返し部分の相対向面に接合されていない、パンツ型吸収性物品。
【請求項２】
前記外装体を構成するシート材が、散点状に形成された多数の融着部で互いに接合している２枚のシートと、該融着部を通らないように配された複数本の弾性部材とを備えている、請求項１記載のパンツ型吸収性物品。
【請求項３】
前記２枚のシートが、パンツ型吸収性物品の外面を形成する外層シート及び該外層シートに隣接してその内面側に位置する内層シートであり、該外層シート及び該内層シートが、それぞれ、前記ウエスト開口部の周縁端に沿って物品内面側に折り返された折り返し部分を有しており、
前記外層シートの前記折り返し部分が、前記内層シートの前記折り返し部分の股下部側の端縁よりも股下部側に延出した延出部分を有し、該延出部分に前記周縁固定部分が形成されている、請求項２記載のパンツ型吸収性物品。
【請求項４】
前記弾性部材が、前記ウエスト開口部の周縁端近傍に配されているが、前記シート材を折り返す際の折り目部分には配されていない、請求項２記載のパンツ型吸収性物品。
【請求項５】
前記弾性部材の両端部が、前記サイドシール部における、前記シート材を折り返す際の折り目部分から離間した位置に固定されている、請求項４記載のパンツ型吸収性物品。
【請求項６】
前記シート材を折り返す際の折り目部分に前記融着部が存在しない、請求項２，４又は５の何れか１項記載のパンツ型吸収性物品。
【請求項７】
前記サイドシール部のおむつ縦方向の長さを３等分して、腹側部Ａ及び背側部Ｂを、上部、中間部及び下部に３等分したとき、該上部、該中間部及び該下部は、物品縦方向の単位長さ当たりの物品幅方向の収縮応力が、下記式（１）の関係を有しており、
中間部の収縮応力＞下部の収縮応力＞上部の収縮応力        ・・・（１）
前記腹側部のシート材の折り返し部分が前記中間部の一部を覆っている、請求項１〜６の何れか１項記載のパンツ型吸収性物品。
【発明の詳細な説明】
【技術分野】
【０００１】
本発明は、パンツ型吸収性物品に関する。
【背景技術】
【０００２】
従来、吸収体を含む吸収性本体と、該吸収性本体の外面側に位置する外装体とを具備し、腹側部の外装体の両側部と背側部の外装体の両側部とが接合されて、一対のサイドシール部、ウエスト開口部及び一対のレッグ開口部が形成されているパンツ型の使い捨ておむつが知られている。
また、このようなパンツ型使い捨ておむつとして、外装体を構成するシート材を、ウエスト開口部の周縁端に沿って物品内面側に折り返し、その折り返し部分で、吸収性本体の内面を被覆することにより、吸収性本体の端部が着用者の肌に接触することによる違和感を防止したり、吸収性ポリマー等の吸収体の材料が漏れ出すことを防止したり技術も提案されている（特許文献１参照）。
【０００３】
特許文献１の技術は、外装体を構成するシート材の折り返し部分を、吸収性本体の幅方向に延びる接着剤塗布部で、吸収性本体の長手方向に間欠的に対向面に接合することにより、ウエスト部の柔軟性を高めたり、ウエスト部に折れが生じにくいようにするものである。
【先行技術文献】
【特許文献】
【０００４】
【特許文献１】特開２００９−１１８９８６号公報
【発明の概要】
【発明が解決しようとする課題】
【０００５】
しかし、使い捨ておむつ等に要求される性能は年々向上しており、ウエスト部の柔軟性や履き心地等を一層向上させたパンツ型吸収性物品の提供が望まれる。
【０００６】
従って、本発明の課題は、吸収性本体の端部が肌に接することによる違和感の発生を防止できると共に、ウエスト部の柔軟性が高く、ウエスト部と肌とが擦れる（こすれる）ことも抑制可能なパンツ型吸収性物品を提供することにある。
【課題を解決するための手段】
【０００７】
本発明は、吸収体を含む吸収性本体と、該吸収性本体の外面側に位置する外装体とを具備し、腹側部の外装体の両側部と背側部の外装体の両側部とが接合されて、一対のサイドシール部、ウエスト開口部及び一対のレッグ開口部が形成されているパンツ型吸収性物品であって、少なくとも腹側部の外装体を構成するシート材が、ウエスト開口部の周縁端に沿って物品内面側に折り返され、その折り返し部分の一部が、該吸収性本体の端部の内面を被覆しており、前記シート材の前記折り返し部分は、前記吸収性本体の周縁固定部分が相対向面に接合されている一方、前記サイドシール部近傍、該周縁固定部分及び前記吸収性本体の内面被覆部分以外の部分が相対向面に接合されていない、パンツ型吸収性物品を提供するものである。
【発明の効果】
【０００８】
本発明のパンツ型吸収性物品は、吸収性本体の端部が肌に接することによる違和感の発生を防止できると共に、ウエスト部の柔軟性が高く、ウエスト部と肌とが擦れる（こすれる）ことも抑制可能である。
【図面の簡単な説明】
【０００９】
【図１】図１は、本発明の第１実施形態であるパンツ型使い捨ておむつの使用状態（着用状態）を示す斜視図である。
【図２】図２は、図１に示すパンツ型使い捨ておむつの展開且つ伸長状態を示す一部破断平面図である。展開且つ伸長状態とは、おむつの両側部に存する接合部（サイドシール部）を引き剥がして、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図３】図３は、図１に示すパンツ型使い捨ておむつの腹側部側をおむつ外面側から見た一部破断拡大図である。
【図４】図４は、図２のＩ−Ｉ線断面図である。
【図５】図５は、図２のＩＩ−ＩＩ線断面図である。
【図６】図６は、図１に示すパンツ型使い捨ておむつにおけるウエスト伸縮部及び胴回り伸縮部のおむつ幅方向に沿う断面を示す図であり、（ａ）は、弾性部材を伸長させて襞をなくした状態、（ｂ）は弾性部材が収縮して襞が形成されている状態を示す図である。
【図７】図７は、本発明の他の実施形態における腹側及び背側外装体を示す図である。
【図８】図８は、本発明の更に他の実施形態における腹側及び背側外装体を示す図である。
【発明を実施するための形態】
【００１０】
以下、本発明のパンツ型吸収性物品を、その好ましい実施形態に基づき図面を参照しながら説明する。
本発明の一実施形態であるパンツ型使い捨ておむつ１（以下、おむつ１ともいう）は、図１及び図２に示すように、吸収体３３を含む吸収性本体３と、該吸収性本体３の外面側に位置する外装体２Ａ，２Ｂとを具備し、腹側部Ａの外装体２Ａの両側部と背側部Ｂの外装体２Ｂの両側部とが接合されて、一対のサイドシール部４，４、ウエスト開口部５及び一対のレッグ開口部６（一方のみ図示）が形成されている。
また、腹側部Ａの外装体２Ａを構成するシート材２０が、ウエスト開口部の周縁端５１に沿って物品内面側に折り返され、その折り返し部分２１の一部２１ａが、該吸収性本体３の端部の内面を被覆している。
そして、前記シート材２０の折り返し部分２１は、吸収性本体３の周縁固定部分２１ｂが相対向面に接合されており、サイドシール部近傍２１ｃ、該周縁固定部分２１ｂ及び吸収性本体３の内面被覆部分２１ａ以外の部分が相対向面に接合されていない。図２には、シート材２０の折り返し部分２１が、その相対向面に接合されている部分を斜線部で示してある。
吸収性物品及びその構成部材の内面は、着用時に着用者の肌側に向けられる面であり、吸収性物品及びその構成部材の外面は、着用時に着用者の肌側とは反対側に向けられる面である。
【００１１】
本実施形態のおむつ１について、より具体的に説明すると、おむつ１は、図１及び図２に示すように、着用時に、着用者の腹側に配される腹側部Ａと、着用者の背側に配される背側部Ｂと、腹側部Ａと背側部Ｂとの間に位置し、着用者の股間部に配される股下部Ｃを有しており、外装体として、腹側部Ａの外面を形成する腹側外装体２Ａと背側部Ｂの外面を形成する背側外装体２Ｂとを有している。腹側外装体２Ａ及び背側外装体２Ｂは、図２に示す如く矩形状である。
【００１２】
本実施形態のおむつ１において、腹側外装体２Ａ及び背側外装体２Ｂを構成するシート材２０は、何れも、図３に示すように、散点状に形成された多数の融着部２６で互いに接合している２枚のシート２２，２３と、該融着部２６を通らないように配された複数本の弾性部材２４とを備えている。
本実施形態のおむつ１における、腹側外装体２Ａと背側外装体２Ｂとは同様の構成を有している。そのため、以下においては、腹側外装体２Ａ及び背側外装体２Ｂの構成について、主として腹側外装体２Ａを例にして説明するが、背側外装体２Ｂについても同様の説明が適用される。
【００１３】
腹側外装体２Ａは、図３に示すように、前記２枚のシート２２，２３として、おむつ１の外面を形成する外層シート２２と外層シート２２に隣接してその内面側に位置する内層シート２３とを有している。
【００１４】
また、腹側外装体２Ａを構成するシート材２０は、図４及び図５に示すように、ウエスト開口部５の開口部の周縁端５１において、おむつ１の内面が折り返されており、その折り返しにより形成された折り返し部分２１を有している。
より詳細には、外層シート２２及び内層シート２３の何れもが、図４及び図５に示すように、ウエスト開口部の周縁端５１において、おむつ１の内面が折り返されている。また、外層シート２２の折り返し部分２２ａの長さが、内層シート２３の折り返し部分２３ａの長さより長くなっており、シート材２０の折り返し部分２１には、外層シート２２の折り返し部分２２ａと内層シート２３の折り返し部分２３ａとが積層された２層部分と、外層シート２２の折り返し部分２２ａのみからなる単層部分とが形成されている。２層部分には、ウエスト伸縮部Ｇ１から融着部列が連続して形成されており、それらの融着部列を構成する融着部２６において、２枚のシート２２，２３の折り返し部分２２ａ，２３ａ間が接合されている。
【００１５】
腹側外装体２Ａを構成するシート材２０は、図４及び図５に示すように、ウエスト開口部５の周縁端５１において、おむつ１の内面が折り返されており、その折り返しにより形成された折り返し部分２１を有している。折り返し部分２１は、ウエスト開口部５の周縁端５１から股下部Ｃ方向に延びている。本実施形態においては、矩形状を有している。背側外装体２Ｂを構成するシート材２０についても同様である。
【００１６】
そして、シート材２０の折り返し部分２１は、図２及び図４に示すように、吸収性本体３の周縁固定部分２１ｂが、相対向面に接合されている。相対向面は、シート材２０を折り返すことによって、相対向することなった面である。また、吸収性本体３の周縁固定部分２１ｂは、吸収性本体３の周縁を、シート材２０の折り返していない部分に固定する部分であり、本実施形態においては、図２に示すように、吸収性本体３の周縁と重なり該周縁の内外に亘る所定幅の部分である。そして、本実施形態における周縁固定部分２１ｂは、吸収性本体３の周縁部の内面と重なる部分が、その相対向面である該吸収性本体３の内面上に接着剤７１を介して接合され、吸収性本体３の周縁より外方に延出する部分においても、その相対向面である内層シート２３の内面（折り返されていない部分の内面）に接着剤７１を介して接合されている。周縁固定部分２１ｂは、吸収性本体３の周縁より外方に位置する部分の幅が３〜３０ｍｍ、特に５〜２５ｍｍであることが好ましい。
【００１７】
また、本実施形態のおむつ１におけるシート材２０の折り返し部分２１は、図２に示すように、サイドシール部近傍２１ｃにおいても、その相対向面である内層シート２３の折り返されていない部分に接着剤（不図示）を介して接合されている。サイドシール部近傍２１ｃは、腹側部Ａの外装体２Ａと背側部Ｂの外装体２Ｂとが互いに接合された部分であるサイドシール部４に位置する部分とその近傍を含む概念である。本実施形態における腹側及び背側外装体２Ａ，２Ｂの折り返し部分２１は、サイドシール部４に位置する部分と該サイドシール部４に近接する所定幅の部分（サイドシール部の近傍部）が、それらが相対向する内層シート２３の内面（折り返されていない部分の内面）に接合されている。
【００１８】
また、本実施形態のおむつ１におけるシート材２０の折り返し部分２１は、図２及び図４に示すように、吸収性本体３の周縁近傍に形成された周縁固定部分２１ｂよりも内方（Ｘ方向及びＹ方向の内方）に位置する部分２１ａ’も、相対向面である吸収性本体３の内面に接着剤７２を介して接合されており、その結果、吸収性本体３の内面を被覆する部分２１ａの全域が、その相対向面である吸収性本体３の内面に接着剤７１を介して接合されている。接着剤７１と接着剤７２とは、同じ種類の接着剤でも良いし、異なる種類の接着剤でも良い。また、接着剤７１と接着剤７２とは、連続して同時に塗っても良いし、別々に塗っても良い。
【００１９】
他方、本実施形態のおむつ１におけるシート材２０の折り返し部分２１は、図２、図４及び図５に示すように、サイドシール部４近傍２１ｃ、周縁固定部分２１ｂ及び吸収性本体の内面被覆部分２１ａ以外の部分は、相対向する内層シート２３の内面（折り返されていない部分の内面）に接合されていない。
おむつ１におけるシート材２０の折り返し部分２１は、周縁固定部分２１ｂより外方に位置する部分（より詳細には、周縁固定部分２１ｂとサイドシール部近傍２１ｃの接合部分との間）におけるレッグ開口部側の端縁が接合されていない。
【００２０】
本実施形態のおむつ１においては、このように、腹側外装体２Ａ及び背側外装体２Ｂそれぞれにおけるシート材２０の折り返し部分２１が、サイドシール部４近傍、周縁固定部分２１ｂ及び吸収性本体の内面被覆部分２１ａ以外の部分において、相対向面に接合されていないことによって、腹側部Ａ及び背側部ＢそれぞれのウエストＤに、折り返し部分２１がその相対向面に接合されていない所定幅の柔軟な領域が形成されていると共に、腹側部Ａ及び背側部Ｂそれぞれの胴回り部Ｅにおける、吸収性本体３の両側縁それぞれの外方にも、折り返し部分２１がその相対向面に接合されていない柔軟な領域が形成されている。
そのため、本実施形態のおむつ１は、腹側部Ａ及び背側部Ｂそれぞれのウエスト部Ｄの柔軟性が高く、履き心地が良好である。また、幼児の親や介護者等が、おむつを履かせる際にも手触りが良く、着用者のはき心地のよさを想起できるとともに、自身も心地の良い気分でおむつ交換を行うことができる。
また、ウエスト部Ｄの内面が肌と擦れる（こすれる）ことも抑制され、擦れることによって、肌に赤みを生じたり、傷をつけたりといった不都合が生じることも防止される。
【００２１】
他方、腹側外装体２Ａ及び背側外装体２Ｂそれぞれにおけるシート材２０の折り返し部分２１が、吸収性本体３の周縁固定部分２１ｂにおいては、接着剤７１を介して相対向面に接合されている。そのため、吸収性本体３が、折り返し部分２１に被覆された状態が安定に維持されるため、吸収性本体３の端部が肌に接触して、着用者に違和感や不快感を与えることを確実に防止することができる。
【００２２】
前述した一又は二以上の効果を得る観点から、シート材２０の折り返し部分２１がその相対向面に接合されていない領域は、ウエスト開口部の周縁端５１と吸収性本体３の長手方向の端部との間の距離Ｌ２（図２参照）が、５〜２００ｍｍ、特に５〜  １２０ｍｍであることが好ましく、該距離Ｌ２は、サイドシール部４の同方向の全長Ｌ４（Ｘ方向の長さ，図２参照）の３〜８０％、特に５〜６０％であることが好ましい。また、同様の観点から、シート材２０の折り返し部分２１がその相対向面に接合されていない領域は、吸収性本体３の両側縁及びそのＸ方向延長線より、おむつ幅方向の外方に位置する部分の幅Ｗ１（Ｙ方向の長さ，図２参照）が、腹側部Ａ又は背側部Ｂの全幅Ｗ（Ｙ方向の長さ，図２参照）の１５〜８５％、特に２０〜７５％であることが好ましい。
【００２３】
また、本実施形態のおむつ１においては、腹側外装体２Ａ及び背側外装体２Ｂそれぞれにおけるシート材２０の折り返し部分２１が、周縁固定部分２１ｂのみならず、吸収性本体３の内面被覆部分２１ａの全域において相対向面と接合されているため、吸収体上における折り返し部の剥がれや、剥がれによる吸収体端部の暴露、暴露に付随する吸収体壊れや排泄物のモレの危険性を回避することが出来る。
【００２４】
本実施形態のおむつ１における腹側外装体２Ａ及び背側外装体２Ｂは、それぞれ、ウエスト伸縮部Ｇ１及び胴回り伸縮部Ｇ２を有している。ウエスト伸縮部Ｇ１及び胴回り伸縮部Ｇ２のそれぞれにおいては、外層シート２２と内層シート２３との間が、散点状に形成された多数の融着部２６において接合されており、弾性部材２４が、それらの融着部２６を通らないように配されている。融着部２６は、外層シート２２と内層シート２３との間が、熱シール加工や超音波シール加工、高周波シール加工等によって熱融着されて形成されてなる。
【００２５】
ウエスト伸縮部Ｇ１は、腹側部Ａ及び背側部Ｂのそれぞれにおいて、吸収性本体３の長手方向の端部３ａ，３ｂと、ウエスト開口部の周縁端５１との間に形成されている。胴回り伸縮部Ｇ２は、腹側部Ａ及び背側部Ｂのそれぞれにおいて、ウエスト伸縮部Ｇ１よりも股下部Ｃ側に形成されている。腹側部Ａ及び背側部Ｂのそれぞれにおいて、ウエスト伸縮部Ｇ１は、吸収性本体３の長手方向の端部３ａ，３ｂとウエスト開口部の周縁端５１との間の領域であるウエスト部Ｄに形成されており、胴回り伸縮部Ｇ２は、ウエスト伸縮部Ｇ１よりも股下部Ｃ側の胴回り部Ｅに形成されている。
【００２６】
ウエスト伸縮部Ｇ１及び胴回り伸縮部Ｇ２には、図３に示すように、おむつ１の縦方向（Ｘ方向）に融着部２６が間欠的に直列配置されてなる接合部列が、おむつ１の幅方向（Ｙ方向）に複数列形成されており、該融着部列どうしは、個々の融着部のＸ方向の位置が一致している。
そして、ウエスト伸縮部Ｇ１及び胴回り伸縮部Ｇ２の何れにおいても、複数本の弾性部材２４が、それぞれ、Ｘ方向において隣り合う融着部２６間を通るように配されている。おむつの縦方向は、腹側部Ａから股下部Ｃを経て背側部Ｂに亘る方向又はその逆方向（図中Ｘ方向）であり、おむつの幅方向は、縦方向と交差する方向（図中Ｙ方向）である。
【００２７】
腹側外装体２Ａは、図３に示すように、サイドシール部４，４の近傍に、外層シート２２と内層シート２３との間が接着剤を介して接合された側部接着領域２７を有している。また、腹側外装体２Ａは、側部接着領域２７よりおむつ幅方向中央側に、外層シート２２と内層シート２３との間が接着剤を介して接合された吸収性本体側接着領域２８を有している。そして、ウエスト伸縮部Ｇ１に配された複数本の弾性部材２４は、一対の側部接着領域２７それぞれにおいてシート２２，２３間に固定されている一方、側部接着領域２７間においては、シート２２，２３の何れにも固定されていない。他方、胴回り伸縮部Ｇ２に配された複数本の弾性部材２４は、側部接着領域２７及び吸収性本体側接着領域２８のそれぞれにおいてシート２２，２３間に固定されている一方、側部接着領域２７と吸収性本体側接着領域２８との間においては、シート２２，２３の何れにも固定されていない。吸収性本体側接着領域２８は、図３に示すように、吸収性本体３の側縁３ｃの内外に亘るように形成されているが、これに代えて、吸収性本体３の側縁３ｃの位置よりおむつ幅方向の内側（中央側）に形成したり、吸収性本体３の側縁３ｃよりおむつ幅方向の外方に形成することもできる。
【００２８】
腹側外装体２Ａ及び背側外装体２Ｂそれぞれのウエスト伸縮部Ｇ１及び胴回り伸縮部Ｇ２においては、弾性部材２４が収縮することにより、隣接する融着部列間のシート２２及び２３が互いに離れる方向に膨らんで、隣接する融着部列間にシート２２又はシート２３からなる襞２９が生じると共に、両シート２２，２３間には、襞２９と襞２９とに周囲を囲まれた中空部３０が形成される（図６参照）。襞２９や中空部３０が形成されることにより、腹側外装体２Ａ及び背側外装体２Ｂのウエスト部Ｄ等の柔らかさが向上して肌触り等が向上する他、肌当接面側に形成される襞２９間を空気が流通し易くムレ防止性にも優れている。特に、外層シート２２及び内層シート２３を、不織布等の通気性シートで形成した場合等においては、おむつ１内の湿気を外部に一層逃がしやすくなる。
ウエスト伸縮部Ｇ１の熱融着部列は、前述した通り、シート材２０の折り返し部分２１の２層部分にも連続して形成されている。本実施形態のおむつ１における折り返し部分２１の融着部２６間には、弾性部材２４が配されていないが、折り返し部分２１の融着部間にも弾性部材を配することもできる。
また、胴回り伸縮部Ｇ２は、おむつ１の幅方向Ｙにおける、少なくとも、吸収性本体３の長手方向の両側縁それぞれより外方に位置する部分に形成されていることが好ましい。
【００２９】
本実施形態のおむつ１は、図４及び図５に示すように、腹側外装体２Ａ及び背側外装体２Ｂそれぞれのウエスト部Ｄにおいて、ウエスト開口部の周縁端５１に最も近い弾性部材２４が、ウエスト開口部の周縁端５１近傍に配されているが、外装体を構成するシート材２０を折り返す際の折り目部分５２には配されていない。
従来、外装体を構成するシート材２０をウエスト開口部の周縁端５１において折り返す場合、弾性部材２４が、折り返しの折り目部分５２に位置することが多かったが、本実施形態のように、折り目部分５２に弾性部材２４を配さないことにより、柔らかい着用者の腹部等に弾性部材２４が食い込みにくくなり、装着中の違和感を軽減できるほか、先端が弾性体を有さない柔らかな感触であるため、腹囲の変動による擦れを防止することができる。また、食い込んだ場合にも、先端が柔らかな感触であるために、違和感や擦れを軽減することができる。
【００３０】
本実施形態のように、ウエスト部Ｄに、弾性部材２４を融着部２６で固定されないように配した場合、ウエスト開口部の周縁端５１に最も近い弾性部材２４が、折り目部分５２に移動する可能性がある。そのため、本実施形態のおむつ１においては、ウエスト開口部の周縁端５１に最も近い弾性部材２４を含めて、ウエスト部Ｄに配された総ての弾性部材２４の両端部（Ｙ方向の両端部）が、サイドシール部４における、シート材２０を折り返す際の折り目部分５２から離間した位置に固定されている。これにより、折り目部分５２に弾性部材２４が存在しない状態が安定に維持される。
【００３１】
本実施形態のおむつ１は、図４及び図５に示すように、腹側外装体２Ａ及び背側外装体２Ｂそれぞれのウエスト部Ｄにおいて、外装体を構成するシート材２０を折り返す際の折り目部分５２に融着部２６同士間の領域が位置しており、該折り目部分に融着部２６が存在していない。
折り目部分５２に融着部２６が存在しないことにより、折り目部分がシート材そのものの柔らかな感触となり、着用者の違和感を低減し、折り目部分がお腹に食い込んだ際の肌との擦れによる赤みや傷を防止することができる。
【００３２】
また、本実施形態においては、ウエスト伸縮部Ｇ１の融着部列が、シート材２０の折り返し部分２１の２層部分にも形成されているが、図４及び図５に示すように、シート材２０の折り返されていない部分の融着部２６と、折り返し部分２１の融着部２６とが、おむつの縦方向Ｘにおいて重なっていない。そのため、シート材２０における硬い部分である融着部２６どうしが重ならないことにより、肌に対する当たりがより柔軟となる。おむつの縦方向Ｘにおいて重なっていないとは、完全に重なっていないことが好ましいが、完全には重ならないように、重なる部分と重ならない部分を有するようにずらして形成されている場合も含まれる。
【００３３】
本実施形態のおむつ１は、サイドシール部４のおむつ縦方向の長さを３等分して、腹側部Ａ及び背側部Ｂを、上部Ｐ１、中間部Ｐ２及び下部Ｐ３に３等分したとき、該上部Ｐ１、該中間部Ｐ２及び該下部Ｐ３は、物品縦方向Ｘの単位長さ当たりの物品幅方向Ｙの収縮応力が、下記式（１）の関係を有している。
中間部Ｐ２の収縮応力＞下部Ｐ３の収縮応力＞上部Ｐ１の収縮応力    ・・（１）
【００３４】
中間部Ｐ２の収縮応力＞下部Ｐ３の収縮応力とすることにより、おむつ全域に過度な収縮応力を持たせることなく、効果的におむつ着用時のずれ落ちを防止することができる。更に、下部Ｐ３の収縮応力＞上部Ｐ１の収縮応力とすることで、おむつのずれ落ち防止に更に効果があるほか、ウエスト開口部の応力が低いために、履かせやすさや自分で履く際の履きやすさが向上する。
しかし、収縮応力の最も強い中間部Ｐ２が直接着用者の肌に当たると、腹囲の変動や動作によっておむつが変動した際に、肌との摩擦による擦れや、擦れによる肌の赤みや傷を与えやすい。
これに対して、本実施形態のおむつ１のように、折り返し部分２１が、中間部Ｐ２の少なくとも一部の内面側を被覆していると、着用者の動きによるおむつの変動を緩和し、肌との摩擦による擦れを軽減することができる。
このような観点から、ウエスト開口部の周縁端５１から折り返し部分２１の下端までの距離Ｌ３は、サイドシール部４の長さＬ４の１５〜９５％であることが好ましく、より好ましくは２５〜７５％である。
折り返し部分２１が中間部Ｐ２の少なくとも一部を被覆する構成は、少なくとも腹側部Ａが有することが好ましく、腹側部Ａ及び背側部Ｂが有することがより好ましい。
【００３５】
各部Ｐ１〜Ｐ３の収縮応力（単位長さ当たりの収縮応力）は、以下のようにして測定することができる。
おむつのサイドシール部を剥離し、図２のように伸張、展開して平面状に拡げ、腹側部材Ａ及び背側部Ｂのそれぞれについて、ＰＡ１〜ＰＡ３、ＰＢ１〜ＰＢ３の領域をそれぞれおむつ幅方向と平行な直線に沿って切断して切り出し、両部材Ａ，Ｂの両側縁部間の全長に亘る長さの各領域の短冊ないし帯状のサンプルを得る。この切り出しの際には、腹側シート部材２Ａ及び背側シート部材２Ｂのみならず、吸収性本体３や折り返し部２１等を含むおむつ全体を切断し、吸収体を取り除く。吸収体を取り除く際には、折り返し部２１の接着領域は吸収体を取り除くのに必要な範囲で剥がす。その際に剥がした部分を再度接着しなおす必要はない。吸収体を取り除いてから、腹側部Ａ及び背側部Ｂを各領域に切断しても良い。その際にも、折り返し部２１の接着領域は吸収体を取り除くのに必要な範囲で剥がす。その際に剥がした部分を再度接着しなおす必要はない。領域の境界部に弾性部材が存在する場合は、近接する弾性体以外の部分で切断する。
【００３６】
切り出した各領域（測定サンプル）の長手方向の両側を、テンシロン引張試験機（ＳＨＩＭＡＤＺＵ社製「オートグラフ  ＡＧ−Ｘ」）のチャックに挟み、該測定サンプルを３００ｍｍ／ｍｉｎの速度の速度で、伸長させ、腹側部材Ａ及び背側部Ｂの内寸〔弾性部材により外包材のシートが収縮していない状態（換言すれば弾性部材を配さずに腹側部Ａ及び背側部Ｂのみを伸展させた状態）で測定した腹側部Ａ及び背側部Ｂのサイドシール部間の長さを１００（例えば３５０ｍｍ）としたときの、８０相当（例えば２８０ｍｍ）の長さまで伸長させた後に、７１相当（例えば２５０ｍｍ）の長さまで収縮させたときの単位長さ（１０ｍｍ）あたりの引張り荷重（ｃＮ）をＸ方向の単位長さ当たりのＹ方向の収縮応力とする。上部Ｐ１の収縮応力はＰＡ１とＰＢ1の領域の収縮応力の平均値とし、中間部Ｐ２の収縮応力はＰＡ２とＰＢ２の領域の収縮応力の平均値とし、下部Ｐ３の収縮応力はＰＡ３とＰＢ３の領域の収縮応力の平均値とする。腹側部Ａ及び背側部Ｂの内寸を１００としたときの７１相当の長さにおける戻りの力を規定した理由は、本実施形態のパンツ型使い捨ておむつ１を着用する主たる対象者である幼児の腹回りの長さがおむつ内寸と比して７１％程度となるからである。なお、ここで言う腹回りの長さは、幼児の姿勢が変化したときの腹回りの周長の変化を考慮し、立位および座位で測定した腹回りの平均値である。
【００３７】
前述した一又は二以上の効果を得る観点から、中間部Ｐ２の収縮応力は、下部Ｐ３の収縮応力の１．２〜２．５倍、特に１．２〜２倍であることが好ましい。また、下部Ｐ３の収縮応力は、上部Ｐ１の収縮応力の１．２〜３．５倍、特に１．２〜３倍であることが好ましい。また、同様の観点から、中間部Ｐ２の収縮応力は、１４〜５０ｃＮ、特に２０〜５０ｃＮであることが好ましく、下部Ｐ３の収縮応力は、１４〜４０ｃＮ、特に１５〜３５ｃＮであることが好ましく、上部Ｐ１の収縮応力は、１〜３０ｃＮ、特に５〜２５ｃＮであることが好ましい。
【００３８】
おむつ１の吸収性本体３は、図２及び図４に示すように、液透過性の表面シート３１、液不透過性又は撥水性の裏面シート３２、及び両シート３１、３２間に介在配置された液保持性の吸収体３３を有しており、おむつ縦方向Ｘに長い長方形状に形成されている。吸収体３３は、パルプ繊維等の繊維の集合体（不織布であっても良い）からなる吸収性コア又はこれに吸水性ポリマーの粒子を保持させてなる吸収性コアと、該吸収性コアを被覆するコアラップシート（図示せず）からなる。
【００３９】
吸収性本体３の長手方向の両側部には、液抵抗性ないし撥水性で且つ通気性の素材から構成された側方カフス３４，３４が形成されている。各側方カフス３４の自由端の近傍には、側方カフス弾性部材３５が伸長状態で配されている。おむつ１の着用中には、側方カフス弾性部材３５が収縮することにより側方カフス３４が起立し、吸収性本体３から幅方向外方への液の流出が阻止される。吸収性本体３は、長手方向の一端側（腹側外装体２Ａと重なっている部分）が、腹側外装体２Ａの外面に接着剤（不図示）を介して固定され、長手方向の他端側が、背側外装体２Ｂの外面に接着剤（不図示）を介して固定されている。
【００４０】
おむつ１の各部の形成材料について説明すると、表面シート３１、裏面シート３２、及び吸収体３３の吸収性コアやコアラップシートとしては、それぞれ、この種の吸収性物品に従来用いられているものと同様のものを用いることができる。吸収性本体３の外側には、裏面シート３２に重ねて、不織布やフィルム等の外装シートを配することもできる。
【００４１】
外層シート２２及び内層シート２３としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでもよい。
弾性部材２４，３５の形成材料としては、使い捨ておむつや生理用ナプキン等の吸収性物品に用いられる各種公知の弾性材料を特に制限なく用いることができる。弾性材料の形成素材のとしては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００４２】
以上、本発明をその好ましい実施形態に基づき説明したが、本発明は上述した実施形態に制限されず適宜変更可能である。
例えば、腹側外装体２Ａと背側外装体２Ｂを構成するシート材２０は、それぞれ、弾性部材２４と重ならないように形成されたドット状の融着部２６を有するものに代えて、おむつ外面をなす外層シート２２とその内側に配された内層シート２３とが全域において接着された構造を有するものであっても良い。
【００４３】
また、胴回り伸縮部Ｇ２を、腹側外装体２Ａ及び／又は背側外装体２Ｂの全幅に亘るように形成しても良い。また、腹側外装体２Ａ及び／又は背側外装体２Ｂに、サイドシール部４の下端より下方に延出する延出部を設けても良い。
【００４４】
また、外装体は、腹側外装体２Ａと背側外装体２Ｂとに分割されていないもの、即ち腹側部Ａ、股下部Ｃ及び背側部Ｂに亘って連続するものであっても良い。
また、本発明のパンツ型吸収性物品は、図７に示すパンツ型おむつのように、外装体を構成するシート材の折り返し部分２１が、吸収性本体３の周縁に沿う所定幅の領域（周縁固定部分）２１ｂ及びサイドシール部近傍２１ｃのみにおいて、相対向面に接合されているものであっても良い。また、シート材の折り返し部分２１の周縁固定部分２１ｂは、吸収性本体３の長手方向の端部においては、吸収性本体３の周縁の内外に亘っている一方、吸収性本体３の幅方向においては、吸収性本体３の周縁より外方のみに位置するもの等であっても良い。
【００４５】
また、本発明のパンツ型吸収性物品における周縁固定部分は、図８に示す周縁固定部分２１ｂのように、吸収性本体３の長手方向の端部のみにおいて、吸収性本体３の周縁を固定するものであっても良い。また、周縁固定部分は、吸収性本体３の長手方向の端縁を固定する部分と吸収性本体３の側縁を固定する部分とが離間していても良い。
図８に示す周縁固定部分２１ｂは、おむつの幅方向Ｙの長さ（相対向面が接合されている部分の長さ）が、吸収性本体３の幅（側縁３ｃ，３ｃ間の距離）と同じである。図７及び図８にも、シート材の折り返し部分２１が、その相対向面に接合されている部分を斜線部で示してある。
【００４６】
また、上述した実施形態のおむつの腹側部Ａ又は背側部Ｂを、シート材２０の折り返し部分を有しないものや、折り返し部分を有するが、その折り返し部分が、上述したおむつ１とは異なる態様で相対向面に接合されているもの、例えば、全域に亘って相対向面に接合されているもの等とすることもできる。また、上述した実施形態における腹側外装体に関して説明した好ましい構成は、背側外装体にも同様に適用することができる。
【００４７】
また、パンツ型吸収性物品は、幼児又は成人用のパンツ型使い捨ておむつの他、パンツ型の生理用ナプキン等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【００４８】
１  パンツ型使い捨ておむつ（パンツ型吸収性物品）
２Ａ  腹側外装体（外装体）
２Ｂ  背側外装体（外装体）
２０  外装体を構成するシート材
２１  シート材の折り返し部分
２２  外層シート
２３  内層シート
２４  弾性部材
Ｐ１  上部
Ｐ２  中間部
Ｐ３  下部
３  吸収性本体
３１  表面シート
３２  裏面シート
３３  吸収体
３４  側方カフス
４  サイドシール部
５  ウエスト開口部
５１  周縁端
５２  折り目部分
６  レッグ開口部
Ａ  腹側部
Ｂ  背側部
Ｃ  股下部
Ｇ１  ウエスト伸縮部
Ｇ２  胴回り伸縮部
【図１】
0005999889.tif 000002
【図２】
0005999889.tif 000003
【図３】
0005999889.tif 000004
【図４】
0005999889.tif 000005
【図５】
0005999889.tif 000006
【図６】
0005999889.tif 000007
【図７】
0005999889.tif 000008
【図８】
0005999889.tif 000009